(57)【要約】　　　（修正有）【課題】インターネットにアクセスの都度ＩＰアドレスが変更されるサーバー機器に対して接続が行えるようにするために、携帯電話からＩＰアドレス通知要求を行い、電子メールなどによりＩＰアドレスや認証用ＩＤの通知を受けて、それをもとに接続が行えるようにする。【解決手段】サーバー機器が電話の発信者番号を受信し登録データに該当情報がある場合サーバー機器がインターネットにリンクされているときは携帯電話へＩＰアドレスと認証用ＩＤをメールへ送信する。インターネットにリンクされていないときは接続を行いＩＰアドレスを取得した後、前記情報を送信する。受信したメール内容にあるＩＰアドレスと認証用ＩＤによりサーバー機器の制御が可能となる。【選択図】　　　　図１
2004032130.tif 000002
【特許請求の範囲】
【請求項１】
サーバー機器２００は電話網から発信者電話番号を受信する機能とサーバー機器２００は受信した発信者電話番号がデータベースに登録されている電話番号なのかを照合する機能とサーバー機器２００がインターネットとリンクが確立されている場合にインターネットＩＰアドレスや認証用ＩＤなどの情報を携帯電話１００の電子メールやほかのサーバー４００に対して送信する機能とインターネットにリンクが確立されていない場合はインターネットアクセスプロバイダ３００に対して接続要求をおこないインターネットに接続をおこないリンクを確立してインターネットＩＰアドレスや認証用ＩＤなどの情報を携帯電話１００の電子メールやほかのサーバー４００に対して送信する機能と、その送信された内容に記述されているインターネットＩＰアドレスを指定することでサーバー機器２００に接続されるとき認証用ＩＤを使いアクセスの安全性を高める機能とサーバー機器２００は機器５００機器６００機器７００など複数の機器と相互に情報通信を行い通信内容をサーバー機器２００にアクセスしている携帯電話１００に公開する機能とサーバー機器２００は携帯電話１００からの指示に従いサーバー機器２００に接続されている機器５００などの複数機器を制御する機能を特徴とするインターネットアドレス通知及び認証システム。
【発明の詳細な説明】
【０００１】
【発明が属する技術分野】
本発明は、サーバー機器２００が電話網から発信者電話番号を受信する機能と受信した発信者電話番号がデータベースに登録されている電話番号なのかを照合する機能とインターネットとリンクが確立されている場合にインターネットＩＰアドレスと認証用ＩＤなどの情報を携帯電話１００の電子メールやほかのサーバー４００に対して送信する機能とインターネットとリンクが確立されていない場合はインターネットアクセスプロバイダ３００に対して接続要求をおこないインターネットとリンクを確立をおこないインターネットＩＰアドレスと認証ＩＤなどの情報を携帯電話１００の電子メールあてに送信やほかのサーバー４００に対して伝達し、携帯電話１００の受信された電子メールに記述されているインターネットＩＰアドレスを指定してアクセスするときサーバー機器２００は認証用ＩＤを利用することでアクセスの安全性を高め機器５００や機器６００などの複数機器を制御する機能を実現する為のインターネットアドレス通知及び認証システムに関するものである。
【０００２】
【従来の技術】
従来、インターネットＩＰアドレスが固定的に割り当てられていないダイアルアップ接続ユーザーやインターネット常時接続であってもリンクが切れた場合に再接続時インターネットＩＰアドレスが変更になる場合がある為、一定時間ごとやインターネットＩＰアドレスが変更になった都度、インターネットＩＰアドレスとドメイン名情報などをダイナミックＤＮＳなどのデータベースに登録する必要があった。またインターネットに常時接続でインターネットＩＰアドレスが他人に知られた場合不正アクセスの可能性もあった。
【０００３】
【発明が解決しようとする課題】
インターネットＩＰアドレスが固定的に割り当てられないインターネットアクセスプロバイダ３００に接続した場合に接続の都度インターネットＩＰアドレスが変更になってしまう為に外部からインターネットＩＰアドレスを指定してのサーバー機器２００の制御が出来ない。またダイアルアップ接続するサーバー機器２００は常時インターネットにリンクが確立されていないため何らかのインターネットへの接続要求信号が必要になる。またインターネットに常時接続でインターネットＩＰアドレスが他人に知られた場合サーバー機器２００への不正アクセスの可能性もあり安全性が低い。本発明はこれらの欠点を解決するためになされたものである。
【０００４】
【課題を解決するための手段】
上記目的を達成のため本発明によるシステムはサーバー機器２００は電話網から発信者電話番号を受信後、受信した発信者電話番号が事前にサーバー機器２００のデータベースに登録してある電話番号なのかを照合し、登録と一致した場合にインターネットに接続されてリンクが確立されている場合はインターネットＩＰアドレスと認証用ＩＤなどの情報を携帯電話１００の電子メールに送信やほかのインターネットサーバー４００に対してインターネットＩＰアドレス情報等伝達する。また、インターネットに接続されていない場合はインターネットプロバイダに対して接続要求をおこないインターネットに接続をおこないリンクを確立し、インターネットＩＰアドレスと認証用ＩＤなどの情報を携帯電話１００の電子メールに送信やほかのサーバー４００に対して伝達する手段をもち、携帯電話１００に送信されたメールに記述されているインターネットＩＰアドレスでサーバー機器２００にアクセスするとき携帯電話１００に送信された認証用ＩＤを確認しサーバー機器２００に接続されている機器５００や機器６００などの制御する機能を備えたことを特徴とする。
【０００５】
【実施例】
以下、本発明の１実施例を図面に基づいて説明する。自宅や機器制御を行いたい場所に設置済みのサーバー機器２００に事前にインターネットアクセス機能付携帯電話１００の電話番号とメールアドレスを登録しておき、携帯電話１００からサーバー機器２００に電話を発信１０し、ワンコールで電話を切ります。サーバー機器２００は発信者電話番号を受信しデータベースに登録されているか判断をし、登録されていない場合は何もせず、該当情報が存在する場合はホームサーバー２００がインターネットに接続されリンクが確立されてＩＰアドレスが付与されている場合は該当情報に応じたメールアドレスに対してＩＰアドレスと認証用ＩＤなどのサーバー機器２００にアクセスできる情報を送信する。また、サーバー機器２００がインターネットに接続されておらずＩＰアドレスが付与されていない場合は、サーバー機器２００はダイアルアップによるインターネット接続を行いリンクを確立し、ＩＰアドレスを取得後、該当情報に応じたメールアドレスに対してＩＰアドレスと認証用ＩＤなどのサーバー機器２００へアクセス出来る情報を送信します。インターネットにダイアルアップしたときにはタイマーによる自動切断かアクセス終了後インターネット接続を解除する機能を持ちます。
【０００６】
次に、携帯電話１００に送信されたメールを携帯電話１００が受信をする。そのメールには本文内容としてサーバー機器２００にインターネット網経由での接続に必要なインターネットＩＰアドレスがハイパーテキスト形式でＵＲＬと認証ＩＤが記述されているので携帯電話１００からインターネット網でサーバー機器２００にアクセスが可能となり、ＵＲＬに続く認証用ＩＤによりアクセスの安全性を高めることが可能となります。この認証用ＩＤは携帯電話１００よりサーバー機器２００へアクセスの都度、変更することによりさらに安全性が高くなります。認証ＩＤによりサーバー機器２００へのアクセスが許可された場合には携帯電話１００のインターネットブラウザ機能によりサーバー機器２００の各種情報を閲覧することが出来、携帯電話１００のインターネットブラウザの操作によりサーバー機器２００に接続されている機器５００や機器６００や機器７００などの複数機器の制御がサーバー機器２００を経由して行うことが可能になります。例えば複数機器の一例としてエアコンであったり炊飯器であったりビデオデッキであったりとおもに電化製品の機器が対象になります。
【発明の効果】
本発明によれば、ＩＰアドレスが固定的に割り当てられない環境でも携帯電話等からワンコールすることでインターネットアクセスプロバイダから割り当てられたＩＰアドレスを簡単に確認することが出来、インターネットＩＰアドレスを指定しての色々な機器の制御が出来るようになり、認証用ＩＤを付加することで不正アクセスを防止し安全性を高めることが可能となります。
【図面の簡単な説明】
【図１】図１は本発明に関する携帯電話１００から電話発信をして携帯電話１００やサーバー４００にインターネットＩＰアドレスを通知し、サーバー機器２００が認証用ＩＤを確認し機器５００に制御信号の通信するまでのデータの流れを説明するものであり１実施例である。
【図２】図２は本発明に関する動作フローであり１実施例である。
【符号の説明】
１００　携帯電話（電子メール機能及びインターネット接続機能付）
２００　サーバー機器
２５０　メールサーバー
３００　インターネットアクセスプロバイダ
３５０　インターネット網
４００　サーバー（インターネット常時接続サーバー）
５００　機器（制御対象機器）
６００　機器（制御対象機器）
７００　機器（制御対象機器）
１０　携帯電話からサーバー機器に電話をワンコールするコールの様子
２０　サーバー機器がインターネットアクセスプロバイダに接続するときの様子
３０　インターネットアクセスプロバイダがサーバー機器にＩＰアドレス割り当ての様子
４０　ＩＰアドレスと認証用ＩＤをメールサーバーに送信する様子
５０　ＩＰアドレスと認証用ＩＤをメールサーバーが携帯電話に送信する様子
６０　ＩＰアドレスでサーバー機器２００にインターネット網経由で接続する様子
【図１】
2004032130.tif 000003
【図２】
2004032130.tif 000004